(57)【特許請求の範囲】
【請求項１】
コンピュータ本体との信号の授受が行える異常事態を検出するためのセンサと、該コンピュータ本体により実行される異常対処用プログラムを格納した記憶装置と、を備える情報処理装置であって、前記センサは、所定の火災判別レベルよりも低い起動レベルに達するときに起動命令を送出し、該起動命令に基づいて、前記コンピュータ本体は、前記異常対処用プログラムを立ち上げて該異常対処用プログラムに基づき前記センサの状態を取り込む動作を行い、前記センサの状態が前記火災判別レベルに達するときに火災警報動作を行うことを特徴とする情報処理装置。
【請求項２】
コンピュータ本体との信号の授受が行える各種異常事態を検出するための種別の異なる複数のセンサと、該コンピュータ本体により実行される異常対処用プログラムを格納した記憶装置とを備える情報処理装置であって、前記複数のセンサへ常時電源を供給する電源装置を備え、前記複数のセンサが起動命令を送出するとき、前記電源装置が前記コンピュータ本体に電源を供給して起動させ、さらに、前記コンピュータ本体は、起動時に前記起動命令があるときに、前記異常対処用プログラムを立ち上げて前記複数のセンサそれぞれの状態を取り込み、異常事態発生時には上記種別に応じた表示警報等のルーチンを実行することを特徴とする情報処理装置。
【請求項３】
記憶装置には、異常対処用プログラムに加え、その他のプログラムが格納され、コンピュータ本体は、起動命令があるときに、前記その他のプログラムの実行中に割り込むものである請求項１または２の情報処理装置。
【発明の詳細な説明】
【０００１】
【産業上の利用分野】
本発明は、盗難、火災などの異常事態発生時にパソコンが自動的に起動して対処する情報処理装置に関する。
【０００２】
【従来の技術とその課題】
通常、ビル、工場等の大きな建物には、自動火災警報システムや防犯システムが必要に応じて設置されている。このようなシステムは、大規模なものであり、非常に高価であって、当然ながら一戸建ての家や小さなアパートなどには取り付けられていない。また、近年住宅情報盤が発達してきて普及の兆しもあるが、常時監視のための維持費や全体的なコストは、やはり大きなものであり、新築の場合でないと設置することも困難である。これらのシステムは、マイクロプロセッサを用いプログラムに従って駆動している。
【０００３】
近年、マイクロプロセッサの機能が発達してきて、高機能のパソコン（パーソナルコンピュータ）が安価に購入が可能になっている。そこで、火災報知システムや防犯システム等もパソコンで実行できるアプリケーションソフトにすれば、パソコンを有する一般家庭が利用できるようになる。また、このようなソフトは、基本的にパソコンが起動していないと、処理は不可能であるという問題もある。
【０００４】
【課題を解決するための手段】
本発明は、上記の点に鑑み、火災等の異常事態発生時に、パソコン本体が異常対処用プログラムを実行して、必要な警報動作を行うことを目的として、コンピュータ本体との信号の授受が行える異常事態を検出するためのセンサと、該コンピュータ本体により実行される異常対処用プログラムを格納した記憶装置と、を備える情報処理装置であって、前記センサは、所定の火災判別レベルよりも低い起動レベルに達するときに起動命令を送出し、該起動命令に基づいて、前記コンピュータ本体は、前記異常対処用プログラムを立ち上げて該異常対処用プログラムに基づき前記センサの状態を取り込む動作を行い、前記センサの状態が前記火災判別レベルに達するときに火災警報動作を行うことを特徴とするものである。
また、コンピュータ本体との信号の授受が行える各種異常事態を検出するための種別の異なる複数のセンサと、該コンピュータ本体により実行される異常対処用プログラムを格納した記憶装置とを備える情報処理装置であって、前記複数のセンサへ常時電源を供給する電源装置を備え、前記複数のセンサが起動命令を送出するとき、前記電源装置が前記コンピュータ本体に電源を供給して起動させ、さらに、前記コンピュータ本体は、起動時に前記起動命令があるときに、前記異常対処用プログラムを立ち上げて前記複数のセンサそれぞれの状態を取り込み、異常事態発生時には上記種別に応じた表示警報等のルーチンを実行することを特徴とするものである。さらに、記憶装置には、異常対処用プログラムに加え、その他のプログラムが格納され、コンピュータ本体は、起動命令があるときに、前記その他のプログラムの実行中に割り込むものである。
【０００５】
【作用】
センサは、電源装置から常時電源供給されていて異常を監視し、異常時に電源装置に起動命令を送出する。電源装置は、商用電源に接続されるコンピュータ本体およびディスプレイ等の周辺機器の電源でもあって、通常はコンピュータ本体側からの起動命令により各部に電源供給を開始する。そして、コンピュータ本体が起動している場合にはセンサからの起動命令をコンピュータ本体に送出し、起動していない場合には電源供給を開始してコンピュータ本体を起動してセンサからの起動命令をコンピュータ本体に送出する。コンピュータ本体は、当然普及型のものであるが、ＯＳ（オペレーションソフト）が起動命令を受けた場合、または停止時からのシステム起動時にセンサから起動命令があるかどうかを確認してセンサからの起動命令による場合には、即、異常対処用プログラムを実行する。
【０００６】
【実施例】
以下、本発明の一実施例について説明する。図１は、本発明を利用する機器系統図である。
【０００７】
パソコン（コンピュータ本体）１と商用電源２との間にはパワーユニット（電源装置）３が配設されている。このパワーユニット３は、例えばパソコン１の入力装置として接続されている図示されないキーボード等からの電源投入信号（ＯＮ信号）により電源供給を開始する。即ち、このパワーユニット３からパソコン１の周辺機器であるディスプレイ５やプリンタ６、公衆回線に信号やメッセージを出力できるモデム７等の電源をとるように接続することにより、上記ＯＮ信号によって各機器を起動させることができる。
【０００８】
このパワーユニット３は、パソコン１およびその周辺機器の電源であること以外に、異常を検出するための人体検知センサ８、火災センサ９、非常センサ（非常スイッチ）１０の信号を信号線１１を介してパソコン１へ中継する中継部となっているとともに、各センサ８、９、１０へ信号線１１を介してパワーユニット３から電源を供給している。従って、各センサ８、９、１０において異常が発生または発生しそうな場合に、パワーユニット３へＯＮ信号を送出でき、異常事態発生時にパソコン１が停止していても、起動をかけて対処できるようになる。
【０００９】
パソコン１について、詳細に説明すると、パソコン１内部の基本構成としてＭＰＵ（中央処理装置）２１、ＲＯＭ（固定記憶装置）２２、ＲＡＭ（一時記憶装置）２３、ＨＤ（保存用記憶装置）２４が設けられている。ＨＤ２４について詳しく説明すると、ＨＤ２４は多数のソフトやデータを蓄えることができ、本実施例では、ＯＳ（オペレーションソフト）４１、ＥＸ（異常対処用ソフト）４２、その他、一般的に用いられるワープロやデータベース、スプレッドシート、ドロー等のＡＰ（アプリケーションソフト）４３がインストールされている。その他、音響用のスピーカ２５や周辺機器とのインターフェース部２６等が設けられている。
【００１０】
パワーユニット３について、詳細に説明すると、パソコン１と同様にＭＰＵ３１、ＲＯＭ３２、ＲＡＭ３３が設けられ、また、センサ８、９、１０と信号線１１を介して信号の送受信を行うＴＲＸ（信号送受信回路）３４およびインターフェース部３９、その信号線１１を介して電源を供給する定電圧回路３５が設けられ、更にパソコン１等の電源装置としてのインターフェース部３８、電源制御を行うための制御回路３７およびスイッチ回路３６が設けられ、各機器からの電源線１６、５６、６６、７６が接続されて各機器への電源制御を行う。
【００１１】
このパソコン１は、使用されていない場合、特にその家に誰もいない状態では、通常停止されている。そのときに、泥棒等が不法侵入してくると、人体検知センサ８が赤外線の検出等によりその不法侵入者を検知し、センサ８は信号線１１を介してパワーユニット３へＯＮ信号（起動命令）を出力する。パワーユニット３は、そのＯＮ信号に基づき制御回路３７を介してスイッチ回路３６をオンし、パソコン１およびその周辺機器に電源供給を開始する。その電源供給とともにパソコン１が立ち上がる。パソコン１は立ち上がり時のＯＳ４１起動時にパワーユニット３にセンサ８、９、１０からのＯＮ信号があるかを確認し、ＯＮ信号がある場合にはＥＸ４２を起動する。ＥＸ４２は、各センサの情報を順次循環的に収集し、人体検知センサ８の起動を確認して防犯ルーチンに入る。防犯ルーチンでは、スピーカ２５を利用した威嚇音声鳴動、ディスプレイ５への表示、モデム７を利用した公衆回線を介した特定の連絡先（職場や外出先等）への通報等を実行する。そして、それらの処理および各センサからの情報をファイルとしてＨＤ２４に格納しながらセンサ８の未検知状態復帰後所定時間動作を継続してその後に終了する。
【００１２】
また、火災が発生する場合には、火災センサ９が煙または熱を検出して所定の火災判別レベルになったとき火災と判別するが、火災は徐々に進行するので、ＯＮ信号は火災判別レベルより少し低い起動レベルになるときにパワーユニット３へ送出する。人体検知センサ８の場合と同様、パワーユニット３は、パソコン１を立ち上げ、ＯＳ４１がＥＸ４２を起動する。そして各センサの情報を順次循環的に収集し、火災センサ９の起動を確認して火災ルーチンに入る。火災ルーチンでは、スピーカ２５を利用した予備警報表示、ディスプレイ５への予備警報表示、モデム７からの特定の連絡先への予備警報の通報等を実行する。そして、それらの処理および各センサからの情報をファイルとしてＨＤ２４に格納していく。そして、火災センサ９の状態を監視し、検出値が上昇して火災判別レベルになるときに火災と判断し、スピーカ２５を利用した本音声警報鳴動、ディスプレイ５への本警報表示、モデム７からの特定の連絡先への火災警報の通報等を実行する。そして、防犯ルーチンの場合と同様、それらの処理および各センサからの情報をファイルとしてＨＤ２４に格納しながら所定時間監視を継続した後に終了する。火災ルーチンを実行して、センサ９の検出値が火災に至らず低下した場合にも、それらの処理および各センサからの情報をファイルとしてＨＤ２４に格納しながら所定時間監視を継続した後に終了する。
【００１３】
更に、非常センサ１０は非常スイッチであり、非常事態が発生するときに起動されるものである。例えば子供が一人で留守番をしていて、集金人等を装った強盗計画者が押し入ってきた場合に、非常センサ１０が操作されてパワーユニット３へＯＮ信号が送出される。この非常センサ１０は、スイッチ自体であってよいが、家の各部に設けられたスイッチを監視する監視装置であってもよい。人体検知センサ８の場合と同様、パワーユニット３は、パソコン１を立ち上げ、パソコン１はＥＸ４２を起動する。そして各センサの情報を順次循環的に収集し、非常センサ１０の起動を確認して非常ルーチンに入る。非常ルーチンでは、音量のあるスピーカ２５を利用した威嚇音声鳴動、ディスプレイ５への表示、モデム７からの最寄りの警察および特定の連絡先への通報等を実行する。そして、それらの処理および各センサからの情報をファイルとしてＨＤに格納していき、終了入力があるまで継続する。
【００１４】
上記動作について、パソコン１の停止時について説明してきたが、当然起動状態であってよく、ＯＳ３１がセンサ８、９、１０の動作を常時監視し、起動命令に従って、他のソフト４３の実行中に割り込めるようにして、他のソフト４３を中断する必要があれば中断し、ＯＳ４１の動作として異常発生表示を行って、操作者の判断に従ってもよい。
【００１５】
以上、各センサの起動にともなって本発明の動作を簡単に説明したが、センサは１種類を１個接続してあればよくその種類および個数は何個であってもよい。また、ＥＸ４２は、当然他のＡＰ４３同様、普通に起動できて各種の条件設定が行える。すなわち、防犯センサ８の人体判別レベルや火災センサ９の火災レベル、音声鳴動の内容、ディスプレイ５への表示内容、通報先の設定など予め最適なものにしておく必要がある。従って、防犯センサ８や火災センサ９は、ＯＮ信号や判別結果だけでなく直接検出値をＥＸ４２で確認できることが好ましい。
【００１６】
また、本発明において、パワーユニット３をパソコン１の外部に示したが、一体型であってよく、更にＥＸ４２を格納しているＨＤ２４をパソコン１へ内蔵しているものを示したが、外付けのものでよいことは言うまでもなく、ＥＸ４２が実行できる場所に格納されていれば充分である。
【００１７】
【発明の効果】
以上のように、本発明では、コンピュータ本体との信号の授受が行える異常を検出するためのセンサと、該コンピュータ本体により実行される異常対処用プログラムを格納した記憶装置と、を備える情報処理装置であって、前記センサは、所定の火災判別レベルよりも低い起動レベルに達するときに起動命令を送出し、該起動命令に基づいて、前記コンピュータ本体は、前記異常対処用プログラムを立ち上げて該異常対処用プログラムに基づき前記センサの状態を取り込む動作を行い、検出値が上昇すると火災と判断し、そのまま本音声警報鳴動等の火災警報動作が行える。
また、コンピュータ本体との信号の授受が行える各種異常事態を検出するための種別の異なる複数のセンサと、該コンピュータ本体により実行される異常対処用プログラムを格納した記憶装置とを備える情報処理装置であって、前記複数のセンサへ常時電源を供給する電源装置を備え、前記複数のセンサが起動命令を送出するとき、前記電源装置が前記コンピュータ本体に電源を供給して起動させ、さらに、前記コンピュータ本体は、起動時に前記起動命令があるときに、前記異常対処用プログラムを立ち上げて前記複数のセンサそれぞれの状態を取り込み、異常事態発生時には上記種別に応じた表示警報等のルーチンを実行するものであり、コンピュータ本体が起動していなくも、常時複数のセンサには電源が供給されており、各センサからの起動命令によってコンピュータ本体を起動させることができる。そして、このコンピュータ本体の起動時に、異常対処用プログラムを立ち上げ、各センサの情報を収集することで必要な表示警報等のルーチンを実行することが可能である。
さらに、記憶装置には、異常対処用プログラムに加え、その他のプログラムが格納され、コンピュータ本体は、起動命令があるときに、前記その他のプログラムの実行中に割り込むことで、操作者に異常発生を認識させることができる。
【図面の簡単な説明】
【図１】本発明を実施するためのシステムを概略的に示した構成図。
【符号の説明】
１  パソコン
３  パワーユニット
８、９、１０  センサ
２４  ＨＤ（保存用記憶装置）
４２  ＥＸ（異常対処ソフト）
【図１】
0003596551.tif 000002